【手続補正書】
【提出日】平成26年5月9日(2014.5.9)
【手続補正１】
【補正対象書類名】明細書
【補正対象項目名】００１０
【補正方法】変更
【補正の内容】
【００１０】
上記課題を解決するために、本発明に係る収差補正方法は、被検査物の収差を補正する収差補正方法であって、前記検査物の前記収差に関する情報が予め記憶されているか否かを判定手段により判定する工程と、選択手段によって、前記検査物の前記収差に関する情報が予め記憶されている場合には前記情報を選択し、且つ記憶されていない場合には前記情報とは異なる他の情報を選択する工程と、 選択された前記情報或いは前記他の情報に基づいて、収差補正手段により前記被検査物の収差の補正を行う工程と、を有することを特徴とする。 
ことを特徴とする
【手続補正２】
【補正対象書類名】特許請求の範囲
【補正対象項目名】全文
【補正方法】変更
【補正の内容】
【特許請求の範囲】
【請求項１】
被検査物の収差を補正する収差補正方法であって、
前記検査物の前記収差に関する情報が予め記憶されているか否かを判定手段により判定する工程と、 
選択手段によって、前記検査物の前記収差に関する情報が予め記憶されている場合には前記情報を選択し、且つ記憶されていない場合には前記情報とは異なる他の情報を選択する工程と、 
選択された前記情報或いは前記他の情報に基づいて、収差補正手段により前記被検査物の収差の補正を行う工程と、
を有する
ことを特徴とする収差補正方法。
【請求項２】
前記補正が行われた前記被検査物の収差に関する新たな情報を、新たな予め記憶されている収差に関する情報として記憶手段が記憶する工程を更に備えることを特徴とする請求項１記載の収差補正方法。
【請求項３】
前記収差に関する情報とは、前記被検査物の収差を測定した領域と、前記領域における収差量とであることを特徴とする請求項１または請求項２に記載の収差補正方法。
【請求項４】
前記収差に関する情報とは、前記被検査物の収差を測定した領域と、前記測定した画像の解像度と、前記領域における収差量と、であることを特徴とする請求項１または請求項２に記載の収差補正方法。
【請求項５】
前記収差量は、所定の関数を用いて表されることを特徴とする請求項３或いは４の何れかに記載の収差補正方法。
【請求項６】
前記新たな情報を記憶する工程では、前記収差量を所定の関数で表した場合における高次の収差量を含まない情報のみを記憶することを特徴とする請求項２に記載の収差補正方法。
【請求項７】
前記高次の収差量とは、５次よりも高次の関数で表された収差量であることを特徴とする請求項６に記載の収差補正方法。
【請求項８】
前記他の情報は、予め設定された基準収差量に関する情報であることを特徴とする請求項１乃至７の何れか一項に記載の収差補正方法。
【請求項９】
前記被検査物の前記収差の補正を開始する際に、前記予め記憶された前記収差に関する情報を選択する工程において、前記収差に関する情報を得ようとする前記被検査物における領域についての前記予め記憶された情報が存在しない場合には前記領域に最も近い領域について予め記憶された前記収差に関する情報を前記他の情報として選択することを特徴とする請求項１乃至８の何れか一項に記載の収差補正方法。
【請求項１０】
前記被検査物は被検眼であることを特徴とする請求項１乃至９の何れか一項に記載の収差補正方法。
【請求項１１】
前記被検査物として被検眼の眼底像を取得する眼底撮像方法であって、
請求項１乃至９の何れか一項に記載の収差補正方法により補正された前記被検眼の収差と基準値とを比較する比較工程と、
前記比較工程において前記被検眼の収差が前記基準値よりも小さいと判断された場合には、前記収差を補正した状態にて前記被検眼の眼底像を撮像する工程と、を有することを特徴とする眼底撮像方法。
【請求項１２】
被検査物を撮像する際に被検査物の収差を補正する撮像装置であって、
前記被検査物の前記収差に関する情報を記憶する記憶手段と、
前記被検査物の前記収差に関する情報が予め記憶されているか否かを判定する判定手段と、
前記判定手段の判定結果に基づいて、前記被検査物の前記収差に関する予め記憶された情報と、前記情報とは異なる他の情報との何れを用いるかを選択する選択手段と、 
前記選択手段により選択された前記情報或いは前記他の情報に基づいて前記被検査物の収差の補正を行う収差補正手段と、を有することを特徴とする撮像装置。
【請求項１３】
前記被検査物は被検眼であることを特徴とする請求項１２記載の撮像装置。
【請求項１４】
被検査物の収差を補正する収差補正装置であって、
前記被検査物の収差を補正する収差補正手段と、
前記収差補正手段を制御するための制御情報と前記被検査物の領域とが対応付けられた情報を記憶する記憶手段と、を有し、
前記収差補正手段は前記記憶手段に記憶された情報に基づいて前記被検査物の収差を補正することを特徴とする収差補正装置。
【請求項１５】
前記制御情報は前記被検査物の収差の情報を含むことを特徴とする請求項１４に記載の収差補正装置。
【請求項１６】
前記情報は前記制御情報と前記領域と前記被検査物の識別情報とが対応づけられた情報を含むことを特徴とする請求項１４または請求項１５に記載の収差補正装置。
【請求項１７】
前記被検査物を撮像する撮像手段と、
前記撮像手段により撮像する撮像領域を取得する取得手段と、
前記取得手段により取得された前記撮像領域に対応する前記制御情報を前記記憶手段に記憶された前記情報から取得する制御情報取得手段と、を更に有し、
前記収差補正手段は、前記制御情報取得手段により取得された前記制御情報に基づいて前記検査物の収差を補正する請求項１４乃至１６の何れか一項に記載の収差補正装置。
【請求項１８】
前記取得手段により取得された前記撮像領域に対応する前記制御情報が前記情報に含まれる場合、前記制御情報取得手段は前記撮像領域に対応する前記制御情報を取得し、
前記取得手段により取得された前記撮像領域に対応する前記制御情報が前記情報に含まれていない場合、前記制御情報取得手段は予め定められた前記制御情報を取得することを特徴とする請求項１７記載の収差補正装置。
【請求項１９】
前記取得手段により取得された前記撮像領域に対応する前記制御情報が前記情報に含まれている場合、前記制御情報取得手段は前記撮像領域に対応する前記制御情報を取得し、
前記取得手段により取得された前記撮像領域に対応する前記制御情報が前記情報に含まれていない場合、前記制御情報取得手段は前記撮像領域に近接する領域に対応する前記制御情報を取得することを特徴とする請求項１７記載の収差補正装置。
【請求項２０】
前記近接する領域は、前記撮像領域に最も近い領域であることを特徴とする請求項１９記載の収差補正装置。
【請求項２１】
前記被検査物に照射された光により生じる前記被検査物からの戻り光に基づいて前記被検査物の収差を測定する収差測定手段を更に有し、
前記収差補正手段は、前記記憶手段に記憶された前記情報から得られた前記制御情報に基づいて制御された後に、前記収差測定手段により測定される収差が所定値以下になるまで前記検査物の収差の補正を行うことを特徴とする請求項１４乃至２０の何れか一項に記載の収差補正装置。
【請求項２２】
前記被検査物に照射された光により生じる前記被検査物からの戻り光に基づいて前記被検査物の収差を測定する収差測定手段と、
前記被検査物を撮像する撮像手段と、を更に有し、
前記収差補正手段は、前記記憶手段に記憶された前記情報から得られた前記制御情報に基づいて制御された後に、前記収差測定手段により測定される収差が所定値以下になるまで前記検査物の収差の補正を行い、
前記撮像手段は、前記収差測定手段により測定される収差が所定値以下になった後に前記被検査物の撮像を行うことを特徴とする請求項１４乃至２０の何れか一項に記載の収差補正装置。
【請求項２３】
前記収差補正手段は、前記記憶手段に記憶された前記情報から得られた前記制御情報を用いて前記検査物の収差を補正することを特徴とする請求項１４乃至２２の何れか一項に記載の収差補正装置。
【請求項２４】
前記被検査物は眼であることを特徴とする請求項１４乃至２３の何れか一項に記載の収差補正装置。
【請求項２５】
被検眼の収差を補正する収差補正装置であって、
前記被検眼の収差を補正する収差補正手段と、
前記収差補正手段を制御するための制御情報と前記被検眼の眼底の領域とが対応付けられた情報を記憶する記憶手段と、を有し、
前記収差補正手段は前記記憶手段に記憶された情報に基づいて前記被検眼の収差を補正することを特徴とする収差補正装置。
【請求項２６】
被検査物の収差を測定する収差測定装置であって、
前記被検査物の収差を測定する収差測定手段と、
前記収差が測定された前記被検査物の領域と前記収差測定手段により測定された収差を示す収差情報とを対応付けて記憶する記憶手段と、を有することを特徴とする収差測定装置。
【請求項２７】
前記被検査物は眼であることを特徴とする請求項２６記載の収差測定装置。
【請求項２８】
前記記憶手段は、前記収差が測定された前記被検眼の眼底の領域と前記収差測定手段により測定された収差とを対応付けて記憶することを特徴とする請求項２７記載の収差測定装置。
【請求項２９】
被検査物の収差を補正する収差補正方法であって、
前記被検査物の収差を補正する収差補正手段を制御するための制御情報と前記被検査物の領域とが対応付けられた情報を記憶する工程と、
前記記憶手段に記憶された情報に基づいて前記収差補正手段により前記被検査物の収差を補正する工程と、を有することを特徴とする収差補正方法。
【請求項３０】
請求項２９に記載の収差補正方法の各工程をコンピュータに実行させることを特徴とするプログラム。
【請求項３１】
被検眼の収差を補正する収差補正方法であって、
前記被検眼の収差を補正する収差補正手段を制御するための制御情報と前記被検眼の眼底の領域とが対応付けられた情報を記憶する工程と、
前記記憶手段に記憶された情報に基づいて前記収差補正手段により前記被検眼の収差を補正する工程と、を有することを特徴とする収差補正方法。
【請求項３２】
請求項３１に記載の収差補正方法の各工程をコンピュータに実行させることを特徴とするプログラム。
【請求項３３】
被検査物の収差を測定する収差測定方法であって、
前記被検査物の収差を測定する工程と、
前記収差が測定された前記被検査物の領域と前記測定された収差を示す収差情報とを対応付けて記憶する工程と、を有することを特徴とする収差測定方法。
【請求項３４】
請求項３３に記載の収差測定方法の各工程をコンピュータに実行させることを特徴とするプログラム。
【請求項３５】
被検眼の収差を補正する収差補正装置であって、
前記被検眼の収差と前記収差が得られた前記被検眼の眼底の領域とが対応付けられた情報を記憶する記憶手段と、
前記記憶手段に記憶された前記情報に基づいて前記被検眼の収差を補正する収差補正手段と、
を有することを特徴とする収差補正装置。
【請求項３６】
被検眼の収差を補正する収差補正方法であって、
前記被検眼の収差と前記収差が得られた前記被検眼の眼底の領域とが対応付けられた情報を記憶する工程と、
前記記憶された情報に基づいて前記被検眼の収差を補正する工程と、
を有することを特徴とする収差補正方法。
【請求項３７】
請求項３６に記載の収差補正方法の各工程をコンピュータに実行させることを特徴とするプログラム。